(57)【要約】      （修正有）【課題】誘導式磁気浮上軌道装置を提供する。【解決手段】同じ磁極を適当の隙間で対向して平行に配置する少なくとも二つの平行軌道１０，１１と、直径が上記軌道の隙間よりやや小さく、隙間に設置され、両端がそれぞれ異なる磁極で、軌道の対向する磁極と同じ磁性を有する磁極が上へ向き、異なる磁性を有する磁極が下へ向くように設置される少なくとも一つの磁活動セル２と、が含有され、磁活動セルの磁極と二つの軌道の磁極との間に発生した引力と斥力の作用により、磁活動セルは重量が均衡されて軌道の間を浮き、また、外力により、磁活動セルが軌道の間で移動するか、或いは磁活動セルの極性に反発する誘導磁活動セルが磁活動セルに接近することによる反発効果により、推力が形成されて、軌道の間で移動する。【選択図】図３
0003125990.tif 000002
【実用新案登録請求の範囲】
【請求項１】
同じ磁極を適当の隙間で対向して平行に配置する少なくとも二つの平行軌道と、
直径が、上記の二つの軌道の隙間よりやや小さく、当該隙間に設置され、両端が、それぞれ、異なる磁極で、軌道の対向する磁極と同じ磁性を有する磁極が上へ向き、異なる磁性を有する磁極が下へ向くように設置される少なくとも一つの磁活動セルと、
が含有され、
磁活動セルの磁極と二つの軌道の磁極との間に発生した引力と斥力の作用により、磁活動セルの重量が均衡されて、軌道の間を浮く、
ことを特徴とする誘導式磁気浮上軌道装置。
【請求項２】
当該磁活動セルが、板状円形構造であることを特徴とする請求項１に記載の誘導式磁気浮上軌道装置。
【請求項３】
当該磁活動セルに、軸孔が設置されることを特徴とする請求項２に記載の誘導式磁気浮上軌道装置。
【請求項４】
更に、自身の極性による反発することにより当該磁活動セルに対して推力を生成して軌道で移動させる磁活動セルがあることを特徴とする請求項１に記載の誘導式磁気浮上軌道装置。
【請求項５】
磁活動セルを物に設置することにより、当該物が、軌道で移動できることを特徴とする請求項１乃至４に記載の誘導式磁気浮上軌道装置。
【請求項６】
当該磁活動セルに、物に設置される孔槽に合わせる軸孔があり、軸部品が軸設されることにより、回転できることを特徴とする請求項５に記載の誘導式磁気浮上軌道装置。
【請求項７】
当該物の内部に、モータが設置され、モータと磁活動セルとが軸設することにより接続され、モータが直接に磁活動セルを駆動して回転させることを特徴とする請求項５に記載の誘導式磁気浮上軌道装置。
【請求項８】
当該物の内部に、回復運動できるスクリューバネと心棒とつまみとが含有される動力機構が設置され、上記のスクリューバネが、心棒に接続され、心棒の両端に、それぞれ、つまみと、軸部品により軸設される磁活動セルが接続されることを特徴とする請求項５に記載の誘導式磁気浮上軌道装置。
【請求項９】
軌道が、ホルダーに結合されることを特徴とする請求項１乃至４に記載の誘導式磁気浮上軌道装置。
【請求項１０】
軌道が、ホルダーに結合されることを特徴とする請求項５に記載の誘導式磁気浮上軌道装置。
【請求項１１】
ホルダーの両端から外側へ比較的に大きい面積を有する連接部を形成し、一端の連接部が突出で、もう一端の連接部が対向して嵌合する凹みであることを特徴とする請求項９に記載の誘導式磁気浮上軌道装置。
【請求項１２】
ホルダーの両端から外側へ比較的に大きい面積を有する連接部を形成し、一端の連接部が突出で、もう一端の連接部が対向して嵌合する凹みであることを特徴とする請求項１０に記載の誘導式磁気浮上軌道装置。
【請求項１３】
ホルダーの一端にダブテールが設置され、もう一端に対応する切り欠きが設置されることを特徴とする請求項９に記載の誘導式磁気浮上軌道装置。
【請求項１４】
ホルダーの一端にダブテールが設置され、もう一端に対応する切り欠きが設置されることを特徴とする請求項１０に記載の誘導式磁気浮上軌道装置。
【請求項１５】
ホルダーの一端にダブテールが設置され、もう一端に対応する切り欠きが設置されることを特徴とする請求項１１に記載の誘導式磁気浮上軌道装置。
【請求項１６】
ホルダーの一端にダブテールが設置され、もう一端に対応する切り欠きが設置されることを特徴とする請求項１２に記載の誘導式磁気浮上軌道装置。
【考案の詳細な説明】
【技術分野】
【０００１】
本考案は、誘導式磁気浮上軌道装置に関し、特に、磁性軌道の間を磁気浮上して前進運動をできる磁活動セルが、外力や、同じ極性である誘導磁活動セルによる反発作用により、推力が形成されることにより、軌道の間で移動か方向変更するものに関する。
【背景技術】
【０００２】
磁性原理が、幅広く日常生活に適用され、例えば、交通運輸の磁気浮上列車や生産製造業の材料案内、日常生活によく使用される固定磁石と遊楽器材或いは科学教育の器材や玩具等に適用される。こ磁性科学概念は、楽しい器材や玩具に合わせて、色々の教学方法により、子供に教えられる。
【考案の開示】
【考案が解決しようとする課題】
【０００３】
本考案は、主な目的は、外力や、同じ極性である誘導磁活動セルによる同じ磁性の反発原理により、推力が生成されることにより、軌道の間で移動か方向変更でき、また、軌道の組み立てを変化することにより、異なる作動形態が得られ、遊戯の楽しさが向上される磁性軌道の間で磁気浮上して前進運動できる磁活動セルを提供する。
【課題を解決するための手段】
【０００４】
請求項１の考案は、同じ磁極を適当の隙間で対向して平行に配置する少なくとも二つの平行軌道と、直径が、上記の二つの軌道の隙間よりやや小さく、当該隙間に設置され、両端が、それぞれ、異なる磁極で、軌道の対向する磁極と同じ磁性を有する磁極が上へ向き、異なる磁性を有する磁極が下へ向くように設置される少なくとも一つの磁活動セルと、が含有され、磁活動セルの磁極と二つの軌道の磁極との間に発生した引力と斥力の作用により、磁活動セルの重量が均衡されて、軌道の間を浮く、ことを特徴とする誘導式磁気浮上軌道装置である。
【０００５】
請求項２の考案は、当該磁活動セルが、板状円形構造であることを特徴とする請求項１に記載の誘導式磁気浮上軌道装置である。
【０００６】
請求項３の考案は、当該磁活動セルに、軸孔が設置されることを特徴とする請求項２に記載の誘導式磁気浮上軌道装置である。
【０００７】
請求項４の考案は、更に、自身の極性による反発することにより当該磁活動セルに対して推力を生成して軌道で移動させる磁活動セルがあることを特徴とする請求項１に記載の誘導式磁気浮上軌道装置である。
【０００８】
請求項５の考案は、磁活動セルを物に設置することにより、当該物が、軌道で移動できることを特徴とする請求項１乃至４に記載の誘導式磁気浮上軌道装置である。
【０００９】
請求項６の考案は、当該磁活動セルに、物に設置される孔槽に合わせる軸孔があり、軸部品が軸設されることにより、回転できることを特徴とする請求項５に記載の誘導式磁気浮上軌道装置である。
【００１０】
請求項７の考案は、当該物の内部に、モータが設置され、モータと磁活動セルとが軸設することにより接続され、モータが直接に磁活動セルを駆動して回転させることを特徴とする請求項５に記載の誘導式磁気浮上軌道装置である。
【００１１】
請求項８の考案は、当該物の内部に、回復運動できるスクリューバネと心棒とつまみとが含有される動力機構が設置され、上記のスクリューバネが、心棒に接続され、心棒の両端に、それぞれ、つまみと、軸部品により軸設される磁活動セルが接続されることを特徴とする請求項５に記載の誘導式磁気浮上軌道装置である。
【００１２】
請求項９の考案は、軌道が、ホルダーに結合されることを特徴とする請求項１乃至４に記載の誘導式磁気浮上軌道装置である。
【００１３】
請求項１０の考案は、軌道が、ホルダーに結合されることを特徴とする請求項５に記載の誘導式磁気浮上軌道装置である。
【００１４】
請求項１１の考案は、ホルダーの両端から外側へ比較的に大きい面積を有する連接部を形成し、一端の連接部が突出で、もう一端の連接部が対向して嵌合する凹みであることを特徴とする請求項９に記載の誘導式磁気浮上軌道装置である。
【００１５】
請求項１２の考案は、ホルダーの両端から外側へ比較的に大きい面積を有する連接部を形成し、一端の連接部が突出で、もう一端の連接部が対向して嵌合する凹みであることを特徴とする請求項１０に記載の誘導式磁気浮上軌道装置である。
【００１６】
請求項１３の考案は、ホルダーの一端にダブテールが設置され、もう一端に対応する切り欠きが設置されることを特徴とする請求項９に記載の誘導式磁気浮上軌道装置である。
【考案を実施するための最良の形態】
【００１７】
図１と２は、本考案に係わる誘導式磁気浮上軌道装置の作動状態図である。少なくとも、二つの磁性軌道１０、１１と一つの磁活動セル２が含有され、磁性の方向が、北極から南極へであることが、公知的であり、図１において、左右両側に設置される軌道１０、１１は、同じ磁極を適当の隙間で対向して平行に配置され、当該磁活動セル２は、両軌道１０、１１の間に配置され、両端が、それぞれ、異なる磁極で、軌道１０、１１の対向する磁極と同じ磁性を有する磁極が上へ向き、異なる磁性を有する磁極が下へ向くように設置される。図１は、磁活動セル２が、軌道１０、１１の間に設置される時、軌道１０、１１との関係図であり、軌道１０、１１の南北極磁力線の吸引作用により、磁活動セル２を下へ移動する力が生成され、図２において、磁活動セル２が軌道１０、１１との間に位置する時、磁活動セル２は、磁極が二つの軌道１０、１１の磁極との引力と斥力により、重量が均衡され、軌道の間を浮く。
【００１８】
図３は、本考案のよりよい実施例であり、二つの平行軌道１０、１１があり、当該軌道１０、１１は、南極が対向側に、北極が軌道１０、１１の外側に、適当な隙間で、平行的に延伸する。また、少なくとも一つの磁活動セル２があり、当該磁活動セル２は、直径が、上記の二つの軌道１０、１１の隙間よりやや小さく、当該隙間に設置され、両端が、それぞれ、異なる磁極で、軌道１０、１１の対向する磁極と同じ磁性を有する磁極が上へ向き、異なる磁極が下ヘ向くように設置され、磁活動セル２の磁極と二つの軌道１０、１１の磁極との間に発生した引力と斥力の作用により、磁活動セル２は、重量が均衡されて、軌道１０、１１の間を浮き、また、外力により、磁活動セル２が、軌道１０、１１の間で移動する。図４は、他の実施例であり、当該磁活動セル２の極性に反発する誘導磁活動セル３は、シャフト３１があり、磁活動セル２が運動停止する時、シャフト３１を持って誘導磁活動セル３を当該磁活動セルに近くすることにより反発効果が得られ、これにより、推力が形成され、磁活動セルが継続的に軌道１０、１１の間で移動する。
【００１９】
図５は、本考案の他のよりよい実施例であり、上記の軌道１０、１１を、異なる形態になるように、保持するホルダー４があり、本実施例において、軌道１０、１１を環状軌道１０、１１とし、磁活動セル２は、軌道１０、１１の間に設置される時、図２のような浮き上状態であり、そして、外力が印加されると、軌道の間で移動し、遠心力のために、当該磁活動セル２は、軌道１０、１１の一側に接触するが、磁力が均衡する作用により、磁活動セル２が軌道１０、１１に接触しても、浮力と推力により、磁活動セル２が軌道１０、１１の間で移動することを維持する。
【００２０】
図６は、図５の変更実施例であり、磁活動セル２は、所定の支持力がある時、物５を載せても、軌道１０、１１で移動することができる。また、当該物５は、例えば、外観を自動車の輪郭に設計したら、観賞の効果が得られ、磁活動セル２は、物５に設置された孔槽５０に合わせる軸孔２１があり、軸部品５１を軸設することにより回転できるようになる。当該物５が外力により押されると、軌道１０、１１の間で移動でき、例えば、図７のようである。
【００２１】
図8と９は、物５が軌道１０、１１の間で移動する時の状態図であり、遠心力のため、物５が軌道１０、１１の一側に沿って移動するため、磁活動セル２が、軌道１１に接触して回転の状態になり、当該磁活動セル２の回転方向は、物５の移動方向と軌道１０、１１との接触位置により、変化する。
【００２２】
図１０は、図６の物５の構造図であり、所定の時間に作動すると、移動速度が、空気抗力と摩擦力により、低減して停止する。物５が軌道１０、１１の間で移動する時間を増加するために、よりよい実施例において、物５にモータ５２を設置し、使用する前に、スイッチ５２１をＯＮにしてモータ５２により磁活動セル２を駆動し、この時、その移動方向が、モータ５２の回転方向に従って、そして、軌道１０、１１の内側か外側に接触することにより、前へ進むか後へバックするかのように移動する。図１１図は、当該モータ５２を有する物５が、軌道１０、１１の間で移動する状態図であり、モータ５２により、物５に対して、長い時間に軌道１０、１１で移動する動力を供給する。
【００２３】
図１２は、図６の更に変更実施例であり、その特徴として、物５の内部に、スクリューバネ５３１と心棒５３２とつまみ５３３とが含有される動力機構５３が設置される。上記のスクリューバネ５３１は、心棒５３２に接続され、心棒５３２は、両端に、それぞれ、つまみ５３３と、軸部品５１により軸設される磁活動セル２とが接続され、使用する前、つまみ５３３を回し、心棒５３２を連動してスクリューバネ５３１によりエネルギーを蓄積し、そして、つまみ５３３を放すと、スクリューバネ５３１により回復運動を開始し、これにより、磁活動セル２が駆動されて回転を開始し、そのため、物５が、軌道１０、１１の上で移動する。図１３は、当該動力機構５３を有する物５が軌道１０、１１で移動する時の状態図である。
【００２４】
図１４、１５は、本考案に係わる誘導式磁気浮上軌道装置の軌道１０、１１にホルダー４が結合される時の構造図であり、軌道１０、１１は、ホルダー４により異なる経路を設計することができ、必要に応じて、異なる形態のホルダー４を接続することにより、例えば、直線や円弧及び高くしたり低くしたりする形態になり、また、接続方法として、図第１４、１５図のように、各ホルダー４の両端から外側へ比較的に大きい面積を有する連接部４１を形成して、例えば、一端の連接部４１が突出４１１で、もう一端の連接部４１が対向して嵌合する凹み４１２である。他の実施例において、ホルダー４の一端にダブテール４２を設置し、もう一端に対応する切り欠き４３を設置することにより、ホルダー４の接続安定性が向上される。
【００２５】
以上のように、本考案に係わる誘導式磁気浮上軌道装置によれば、外力や、同じ極性である誘導磁活動セル３による同じ磁性の反発原理により、推力が生成されることにより、当該磁活動セル２が、軌道１０、１１で移動か方向変更ができ、また、軌道の組立てを変化することにより、異なる作動形態が得られ、遊戯の楽しさが向上され、また、利用者が磁力現象を学習する効果が向上され、そして、実際に操作と観察することができるため、よりよい教学効果が得られ、そのため、新鋭性と進歩性を有し、より実用的なものである。
【図面の簡単な説明】
【００２６】
【図１】本考案に係わる磁石と磁活動セルの磁極配置概念図
【図２】図１の磁石と磁活動セルとが均衡状態を形成する時の概念図
【図３】本考案に係わる磁活動セルが軌道で作動する時の作動概念図
【図４】本考案に係わる誘導磁活動セルの実施例の概念図
【図５】本考案に係わる磁活動セルの軌道での運動概念図
【図６】本考案に係わる物が結合される磁活動セルの構造概念図
【図７】図６の物の軌道での運動概念図
【図８】本考案に係わる物の移動中の磁活動セルの作動状態の正面図
【図９】本考案に係わる物の移動中の磁活動セルの作動状態の裏面図
【図１０】本考案に係わる物にモータが結合される時の構造概念図
【図１１】図１０の物の軌道での運動概念図
【図１２】本考案に係わる物に動力機構が結合される時の構造概念図
【図１３】図１２図の物の軌道での運動概念図
【図１４】本考案に係わる軌道にホルダーが結合される時の構造概念図
【図１５】本考案に係わる軌道にホルダーが結合される時の他の構造概念図
【符号の説明】
【００２７】
１０、１１    軌道
２            磁活動セル
２１          軸孔
３            誘導磁活動セル
３１          シャフト
４            ホルダー
４１          接続部
４１１        突出
４１２        凹み
４２          ダブテール
４３          切り欠き
５            物
５０          孔槽
５１          軸部品
５２          モータ
５２１        スイッチ
５３          動力機構
５３１        スクリューバネ
５３２        心棒
５３３        つまみ
【図１】
0003125990.tif 000003
【図２】
0003125990.tif 000004
【図３】
0003125990.tif 000005
【図４】
0003125990.tif 000006
【図５】
0003125990.tif 000007
【図６】
0003125990.tif 000008
【図７】
0003125990.tif 000009
【図８】
0003125990.tif 000010
【図９】
0003125990.tif 000011
【図１０】
0003125990.tif 000012
【図１１】
0003125990.tif 000013
【図１２】
0003125990.tif 000014
【図１３】
0003125990.tif 000015
【図１４】
0003125990.tif 000016
【図１５】
0003125990.tif 000017
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
同じ磁極を適当の隙間で対向して平行に配置する少なくとも二つの平行軌道と、
直径が、上記の二つの軌道の隙間よりやや小さく、当該隙間に設置され、両端が、それぞれ、異なる磁極で、軌道の対向する磁極と同じ磁性を有する磁極が上へ向き、異なる磁性を有する磁極が下へ向くように設置される少なくとも一つの磁活動セルと、
が含有され、
磁活動セルの磁極と二つの軌道の磁極との間に発生した引力と斥力の作用により、磁活動セルの重量が均衡されて、軌道の間を浮く、
ことを特徴とする誘導式磁気浮上軌道装置。
【請求項２】
当該磁活動セルが、板状円形構造であることを特徴とする請求項１に記載の誘導式磁気浮上軌道装置。
【請求項３】
当該磁活動セルに、軸孔が設置されることを特徴とする請求項２に記載の誘導式磁気浮上軌道装置。
【請求項４】
更に、自身の極性による反発することにより当該磁活動セルに対して推力を生成して軌道で移動させる磁活動セルがあることを特徴とする請求項１に記載の誘導式磁気浮上軌道装置。
【請求項５】
磁活動セルを物に設置することにより、当該物が、軌道で移動できることを特徴とする請求項１〜４のいずれか一項に記載の誘導式磁気浮上軌道装置。
【請求項６】
当該磁活動セルに、物に設置される孔槽に合わせる軸孔があり、軸部品が軸設されることにより、回転できることを特徴とする請求項５に記載の誘導式磁気浮上軌道装置。
【請求項７】
当該物の内部に、モータが設置され、モータと磁活動セルとが軸設することにより接続され、モータが直接に磁活動セルを駆動して回転させることを特徴とする請求項５に記載の誘導式磁気浮上軌道装置。
【請求項８】
当該物の内部に、回復運動できるスクリューバネと心棒とつまみとが含有される動力機構が設置され、上記のスクリューバネが、心棒に接続され、心棒の両端に、それぞれ、つまみと、軸部品により軸設される磁活動セルが接続されることを特徴とする請求項５に記載の誘導式磁気浮上軌道装置。
【請求項９】
軌道が、ホルダーに結合されることを特徴とする請求項１〜４のいずれか一項に記載の誘導式磁気浮上軌道装置。
【請求項１０】
軌道が、ホルダーに結合されることを特徴とする請求項５に記載の誘導式磁気浮上軌道装置。
【請求項１１】
ホルダーの両端から外側へ比較的に大きい面積を有する連接部を形成し、一端の連接部が突出で、もう一端の連接部が対向して嵌合する凹みであることを特徴とする請求項９に記載の誘導式磁気浮上軌道装置。
【請求項１２】
ホルダーの両端から外側へ比較的に大きい面積を有する連接部を形成し、一端の連接部が突出で、もう一端の連接部が対向して嵌合する凹みであることを特徴とする請求項１０に記載の誘導式磁気浮上軌道装置。
【請求項１３】
ホルダーの一端にダブテールが設置され、もう一端に対応する切り欠きが設置されることを特徴とする請求項９に記載の誘導式磁気浮上軌道装置。
【請求項１４】
ホルダーの一端にダブテールが設置され、もう一端に対応する切り欠きが設置されることを特徴とする請求項１０に記載の誘導式磁気浮上軌道装置。
【請求項１５】
ホルダーの一端にダブテールが設置され、もう一端に対応する切り欠きが設置されることを特徴とする請求項１１に記載の誘導式磁気浮上軌道装置。
【請求項１６】
ホルダーの一端にダブテールが設置され、もう一端に対応する切り欠きが設置されることを特徴とする請求項１２に記載の誘導式磁気浮上軌道装置。